(57)【特許請求の範囲】
【請求項１】
第１および第２加熱コイルと、第１スイッチング素子および第１共振コンデンサを含み前記第１加熱コイルに電力を供給する第１インバータ回路と、第２スイッチング素子および第２共振コンデンサを含み前記第２加熱コイルに電力を供給する第２インバータ回路と、前記第１および第２インバータ回路をそれぞれ制御する第１および第２制御回路と、前記第１および第２スイッチング素子をそれぞれ取り付けた第１および第２放熱フィンと、前記第１および第２スイッチング素子を冷却する冷却ファンと、を備え、前記第１スイッチング素子と前記第１共振コンデンサを載置して電気接続するとともに前記第２スイッチング素子と前記第２共振コンデンサを載置して電気接続する１枚の第１印刷配線板を更に有し、前記第１および第２放熱フィンは前記第１印刷配線板の前記冷却ファン側の端部で且つ前記第１印刷配線板の側方両端部近傍に互いに対向するように配置され、前記第１および第２共振コンデンサは前記第１および第２放熱フィンの間に配置され、前記第１および第２制御回路は前記第１および第２放熱フィンの風下側で前記第１印刷配線板に載置され電気接続される誘導加熱調理器。
【請求項２】
冷却ファンをターボファンとし、その冷却風の吹き出し口を第１印刷配線板の側方両端部近傍に設け、且つ前記第１印刷配線板の方向へ吹き出す構成とした請求項１に記載の誘導加熱調理器。
【請求項３】
第１および第２スイッチング素子を第１印刷配線板に対して垂直に立てて、かつ第１および第２放熱フィンへの取り付け面を第１および第２共振コンデンサ側として実装した請求項１または２に記載の誘導加熱調理器。
【請求項４】
第１および第２放熱フィンが第１および第２スイッチング素子に対して庇を形成する請求項３に記載の誘導加熱調理器。
【請求項５】
第１および第２加熱コイルの加熱の入り切りを操作する操作部と、前記操作部を制御する第３制御回路と、第１および第２制御回路を載置し電気接続する第１印刷配線板より小さい第２印刷配線板とを備え、前記第２印刷配線板は第１および第２放熱フィンの風下側で前記第１印刷配線板に載置され電気接続される構成とし、前記第３制御回路は前記第１制御回路とのみ通信を行い、前記第２制御回路は前記第１制御回路とのみ通信を行う請求項１〜４のいずれか１項に記載の誘導加熱調理器。
【発明の詳細な説明】
【技術分野】
【０００１】
本発明は、調理容器などの被加熱物を加熱する誘導加熱調理器に関する。
【背景技術】
【０００２】
近年、鍋やフライパンなどの調理容器を加熱コイルにより誘導加熱する誘導加熱調理器が、一般家庭や業務用のキッチンなどで広く用いられている。キッチンに組み込むタイプのものでは、２つの誘導加熱ヒータと１つのラジエントヒータと１つのロースタヒータとの４つのヒータで構成されるものがあり、制御基板を複数枚使用する方法が開示されている（例えば、特許文献１参照）。
【先行技術文献】
【特許文献】
【０００３】
【特許文献１】特開２００４−２１８９０１号公報
【発明の概要】
【発明が解決しようとする課題】
【０００４】
従来の構成では、筐体内部に基板が複数ありスペースが狭いため、発熱部品の冷却が難しく、かつ組立性が悪い、基板の枚数分だけ組立工数およびコストが掛かる、などの課題を有していた。
【０００５】
本発明は、前記従来の課題を解決するもので、制御基板の枚数を減らし、且つ発熱部品の冷却を容易にする部品配置とすることで、部品の冷却を効率良く行い、且つ安価で容易な構成で複数のヒータを有する誘導加熱調理器を提供することを目的とする。
【課題を解決するための手段】
【０００６】
上記目的を達成するために、本発明の誘導加熱調理器は、第１および第２加熱コイルと、第１スイッチング素子および第１共振コンデンサを含み前記第１加熱コイルに電力を供給する第１インバータ回路と、第２スイッチング素子および第２共振コンデンサを含み前記第２加熱コイルに電力を供給する第２インバータ回路と、前記第１および第２インバータ回路をそれぞれ制御する第１および第２制御回路と、前記第１および第２スイッチング素子をそれぞれ取り付けた第１および第２放熱フィンと、前記第１および第２スイッチング素子を冷却する冷却ファンと、を備え、前記第１スイッチング素子と前記第１共振コンデンサを載置して電気接続するとともに前記第２スイッチング素子と前記第２共振コンデンサを載置して電気接続する１枚の第１印刷配線板を更に有し、前記第１および第２放熱フィンは前記第１印刷配線板の前記冷却ファン側の端部で且つ前記第１印刷配線板の側方両端部近傍に互いに対向するように配置され、前記第１および第２共振コンデンサは前記第１および第２放熱フィンの間に配置され、前記第１および第２制御回路は前記第１および第２放熱フィンの風下側で前記第１印刷配線板に載置され電気接続されるものである。
【０００７】
これによって、発熱部品の冷却を効率良く行い、且つ安価で容易な構成にすることができる。
【発明の効果】
【０００８】
本発明の誘導加熱調理器は、複数のヒータを有し、ヒータを制御する制御基板の枚数を減らし、且つ発熱部品の冷却を容易にする部品配置とすることで、部品の冷却を効率良く行い、且つ安価で容易な構成にすることができる。
【図面の簡単な説明】
【０００９】
【図１】本発明の実施の形態１における誘導加熱調理器の基板構成の概略図
【図２】本発明の実施の形態１における誘導加熱調理器の放熱フィンの概略図
【発明を実施するための形態】
【００１０】
第１の発明は、第１および第２加熱コイルと、第１スイッチング素子および第１共振コンデンサを含み前記第１加熱コイルに電力を供給する第１インバータ回路と、第２スイッチング素子および第２共振コンデンサを含み前記第２加熱コイルに電力を供給する第２インバータ回路と、前記第１および第２インバータ回路をそれぞれ制御する第１および第２制御回路と、前記第１および第２スイッチング素子をそれぞれ取り付けた第１および第２放熱フィンと、前記第１および第２スイッチング素子を冷却する冷却ファンとを備え、前記第１スイッチング素子と前記第１共振コンデンサを載置して電気接続するとともに前記第２スイッチング素子と前記第２共振コンデンサを載置して電気接続する１枚の第１印刷配線板を更に有し、前記第１および第２放熱フィンは前記第１印刷配線板の前記冷却ファン側の端部で且つ前記第１印刷配線板の側方両端部近傍に互いに対向するように配置され、前記第１および第２共振コンデンサは前記第１および第２放熱フィンの間に配置され、
前記第１および第２制御回路は前記第１および第２放熱フィンの風下側で前記第１印刷配線板に載置され電気接続されることを特徴とする誘導加熱調理器である。これにより、部品の冷却を効率良く行い、且つ安価で容易な構成で複数のヒータを有する誘導加熱調理器を提供することができる。
【００１１】
第２の発明は、特に、第１の発明において、冷却ファンをターボファンとし、その冷却風の吹き出し口を前記第１印刷配線板の側方両端部近傍に設け、且つ前記第１印刷配線板の方向へ吹き出す構成としたことを特徴とするものである。これにより、インバータ構成部品の中で最も発熱の大きい前記第１および第２スイッチング素子を十分に冷却することができる。
【００１２】
第３の発明は、特に、第１または第２の発明において、第１および第２スイッチング素子を第１印刷配線板に対して垂直に立てて、かつ第１および第２放熱フィンへの取り付け面を前記第１および第２共振コンデンサ側として実装したことを特徴とするものである。これにより、前記第１および第２放熱フィンの前記第１印刷配線板への投影面積を減らし、他の電子部品を配置しやすくするとともに、前記第１および第２スイッチング素子と前記第１および第２共振コンデンサとの配線を容易にできる。
【００１３】
第４の発明は、特に、第３の発明において、第１および第２放熱フィンが第１および第２スイッチング素子に対して庇を形成することを特徴とするものである。これにより、前記第１および第２放熱フィンの表面積を確保するとともに、前記冷却ファンからの冷却風が上方向に逃げることを防ぐことができ、電子部品の冷却を効率良く行うことができる。
【００１４】
第５の発明は、特に、第１〜４のいずれか１つの発明において、第１および第２加熱コイルの加熱の入り切りを操作する操作部と、前記操作部を制御する第３制御回路と、第１および第２制御回路を載置し電気接続する第１印刷配線板より小さい第２印刷配線板とを備え、前記第２印刷配線板は第１および第２放熱フィンの風下側で前記第１印刷配線板に載置され電気接続される構成とし、前記第３制御回路は前記第１制御回路とのみ通信を行い、前記第２制御回路は前記第１制御回路とのみ通信を行うことを特徴とするものである。これにより、インバータを制御する回路と前記第３制御回路との通信用リード線の数を最小限に抑えるとともに、前記第１制御回路と前記第２制御回路との間の通信回路の構成を容易にすることができる。
【００１５】
以下本発明の実施の形態について、図面に基づいて説明する。なお、この実施形態によって本発明が限定されるものではない。
【００１６】
（実施の形態１）
図１は、本発明の第１の実施の形態における誘導加熱調理器の基板構成の概略図である。
【００１７】
図１に示すように、第１スイッチング素子１および第１共振コンデンサ２を含む第１インバータ回路（図示していない）は第１印刷配線板９に実装されている。第２スイッチング素子４および第２共振コンデンサ５を含む第２インバータ回路（図示していない）は第１印刷配線板９に実装されている。第１スイッチング素子１は第１印刷配線板９に対して垂直に立てて第１放熱フィン３に取り付けられ、第２スイッチング素子４は第１印刷配線板９に対して垂直に立てて第２放熱フィン６に取り付けられている。第１放熱フィン３および第２放熱フィン６は、第１スイッチング素子１および第２スイッチング素子４が対面するように第１印刷配線板９のターボファン（冷却ファン）１２側の端部で且つ第１印刷配線板９の側方両端部近傍に互いに対向するように配置されている。第１共振コンデンサ２および第２共振コンデンサ５は第１放熱フィン３および第２放熱フィン６の間に配置されている。前記第１インバータ回路を制御する第１制御回路７と、前記第２インバータ回路を制御する第２制御回路８は、第２印刷配線板１０に実装され、互いに通信をしている。第２印刷配線板１０は第１放熱フィン３および第２放熱フィン６の風下側で基板対基板コネクタ１１により第１印刷配線板９に接続されている。操作部１３は通信用リード線１４を通じて第１制御回路７と通信を行い、通信用リード線１４は基板対リード線コネクタ１５により第１印刷配線板９に接続されている。ターボファン１２はケーシング１６内に収められており、ケーシング１６の両端部近傍に吹き出し口１７が設けられている。
【００１８】
以上の構成により、前記第１インバータ回路および第１制御回路７と、前記第２インバータ回路および第２制御回路８は１枚の印刷配線板、すなわち第１印刷配線板９、上に実装されうる。また、ターボファン１２からの冷却風は、第１放熱フィン３および第２放熱フィン６を十分に冷却するとともに、第１印刷配線板９のターボファン１２側端部から第１印刷配線板９の反対側端部まで行き届くため、第１共振コンデンサ２、第２共振コンデンサ５、第１制御回路７および第２制御回路８をも十分に冷却することができる。
【００１９】
また、第１スイッチング素子１および第２スイッチング素子４を第１印刷配線板９に対して垂直に立てて実装しているため、第１放熱フィン３および第２放熱フィン６の第１印刷配線板９への投影面積を減らすことができ、他の電子部品を配置しやすくできる。
【００２０】
また、第１スイッチング素子１および第２スイッチング素子４が対面するように配置されているため、第１共振コンデンサ２および第２共振コンデンサ５との配線が容易になる。
【００２１】
また、第１制御回路７および第２制御回路８が第２印刷配線板１０に実装されていることにより、第１印刷配線板９において他の部品を実装するスペースを確保するとともに、第１制御回路７と第２制御回路８との通信回路を容易に構成できる。
【００２２】
さらに、操作部１３との通信を第１制御回路７のみで行うことにより、通信用リード線１４の数を最小限に抑えることができる。
【００２３】
すなわち、安価で容易な構成でありながら電子部品の冷却を効率良く行うことが可能な誘導加熱調理器を提供することができる。
【００２４】
また、図２に示すように、第１放熱フィン３あるいは第２放熱フィン６が第１スイッチング素子１あるいは第２スイッチング素子４に対して庇を形成する構成とすることで、第１放熱フィン３および第２放熱フィン６の表面積を確保するとともに、ターボファン１２からの当接した冷却風が上方向に逃げることを防ぐことができ、電子部品の冷却を効率良く行うことができる。
【産業上の利用可能性】
【００２５】
本発明の誘導加熱調理器は、安価で容易な基板構成で且つ効率の良い冷却が可能なので、一般家庭のキッチンや業務用などに用いられる誘導加熱調理器等の用途に適用できる。
【符号の説明】
【００２６】
１  第１スイッチング素子
２  第１共振コンデンサ
３  第１放熱フィン
４  第２スイッチング素子
５  第２共振コンデンサ
６  第２放熱フィン
７  第１制御回路
８  第２制御回路
９  第１印刷配線板
１０  第２印刷配線板
１１  基板対基板コネクタ
１２  ターボファン（冷却ファン）
１３  操作部
１４  通信用リード線
１５  基板対リード線コネクタ
１６  ケーシング
１７  吹き出し口
【図１】
0005816788.tif 000002
【図２】
0005816788.tif 000003